(57)【特許請求の範囲】
【請求項１】
ヘアケア機器の付属品であって、
流体入口と、流体出口と、前記流体入口と前記流体出口との間に延びる流体流路と、該流体流路内の流体を前記流体出口に向ける少なくとも１つのベーンとを有する本体を備え、
前記本体は、少なくとも２つの延長プレートを含み、
前記流体出口は、前記少なくとも２つの延長プレート間の重複部分によって定められるスロットを含み、
前記少なくとも１つのベーンは、前記少なくとも２つの延長プレートの内面上で且つ前記少なくとも２つの延長プレート間の重複部分内に全体が位置し、
前記少なくとも１つのベーンは、前記流体流路を流れる流体を第１の方向から第２の方向に向け、
前記第１の方向は、前記本体の前記軸と平行であり、前記第２の方向は、前記軸から８５°〜９５°である、
ことを特徴とする付属品。
【請求項２】
前記本体は細長く、軸に沿って延びる、請求項１に記載の付属品。
【請求項３】
前記細長い本体は、第１の端部及び第２の端部を有し、前記流体入口は、前記第１の端部に存在する、請求項１又は２に記載の付属品。
【請求項４】
前記流体出口は、前記第１の端部と前記第２の端部との間に前記軸に沿って延びる、請求項３に記載の付属品。
【請求項５】
前記少なくとも１つのベーンは翼形である、請求項１から４のいずれか１項に記載の付属品。
【請求項６】
前記少なくとも１つのベーンは、前記本体の前記第１の端部から前記本体の前記第２の端部に向かって延びる複数のベーンを含む、請求項３に記載の付属品。
【請求項７】
前記複数のベーンは、前記本体の前記第１の端部から前記本体の前記第２の端部に向かって延びる方向に前記本体に沿って不規則に離間する、請求項６に記載の付属品。
【請求項８】
前記複数のベーンは、前記第２の端部に向かって互いに次第に接近する、請求項７に記載の付属品。
【請求項９】
前記複数のベーンは、前記本体の前記軸に対して角度を付けられる、請求項６から８のいずれか１項に記載の付属品。
【請求項１０】
前記複数のベーンの少なくとも一部の前記角度は、隣接するベーンと異なる、請求項９に記載の付属品。
【請求項１１】
前記軸に対する前記複数のベーンの角度は、前記第２の端部に向かって増す、請求項１０に記載の付属品。
【請求項１２】
前記複数のベーンのサイズは、前記第１の端部と前記第２の端部との間で変化する、請求項６から１１のいずれか１項に記載の付属品。
【請求項１３】
前記複数のベーンは、前記本体の前記第２の端部に向かって次第に小さくなる、請求項１２に記載の付属品。
【請求項１４】
前記複数のベーンの各々は、同じ形状を有する、請求項１２又は１３に記載の付属品。
【請求項１５】
前記スロットは、前記本体の前記軸に対して湾曲する、請求項１から１４のいずれか１項に記載の付属品。
【請求項１６】
前記少なくとも１つのベーンは、前記少なくとも２つの延長プレート間の前記重複部分と実質的に同じ長さである、請求項１から１５のいずれか１項に記載の付属品。
【請求項１７】
前記少なくとも１つのベーンのうちの１つのベーンは、前記延長プレートを支持するとともに前記流体流路内の流体を前記流体出口に向けるように構成されている、請求項１から１６のいずれか１項に記載の付属品。
【請求項１８】
各延長プレートは、ストラット及びプレートで形成される、請求項１から１７のいずれか１項に記載の付属品。
【請求項１９】
前記スロットは、隣接する延長プレートからのストラット及びプレートで形成される、請求項１８に記載の付属品。
【発明の詳細な説明】
【技術分野】
【０００１】
本発明は、手持型機器の、特に温風整髪機器などのヘアケア機器の付属品に関する。
【背景技術】
【０００２】
従来の温風整髪装置では、ファンユニットによって空気が入口に吸い込まれ、ヘッド部又は付属品によって毛髪に向けられる。所望の髪形に応じて、空気は加熱することも、又はしないこともできる。多くの場合、ヘッド部又は付属品は、整髪のために髪を巻き付けて保持する毛状突起を含む。空気は、一般に付属品の表面から直角に吹き出す。髪をカール状に整える際には、毛状突起から髪をほどくのが困難な場合があり、髪がもつれることもある。
【発明の概要】
【発明が解決しようとする課題】
【０００３】
髪をカール状に整える際には、加熱バレルが高温に達してから髪をバレルに巻き付けた後に一定の時間にわたってバレルクリップによって固定するヘアアイロンを使用することも知られている。このようなヘアアイロンを高温で繰り返し使用すると、髪が傷むことがある。
【課題を解決するための手段】
【０００４】
本発明の第１の態様では、ヘアケア機器であって、流体入口と、流体出口と、流体入口と流体出口との間に延びる流体流路と、流体流路内の流体を流体出口に向ける少なくとも１つのベーンとを有する本体を含み、本体が、少なくとも２つの延長プレートを含み、流体出口が、少なくとも２つの延長プレート間の重複部分によって定められるスロットを含み、少なくとも１つのベーンが、少なくとも２つの延長プレート間の重複部分内に位置するヘアケア機器を提供する。
【０００５】
付属品から流れが排出される際に正確に流れを誘導するように機能するベーンを各プレートの内面上に設けることに利点がある。具体的には、付属品から均一な空気流が排出されることにより、髪の束がバレルの長さにわたって均一に付着できるようになる。
【０００６】
本体は細長く、軸に沿って延びることが好ましい。好ましい実施形態では、細長い本体が、第１の端部及び第２の端部を有し、流体入口は第１の端部に存在する。流体出口は、第１の端部と第２の端部との間に軸に沿って延びることが好ましい。
【０００７】
好ましい実施形態では、少なくとも１つのベーンが翼形である。この形状は、乱流を抑えるので有利である。
【０００８】
少なくとも１つのベーンは、流体流路を流れる流体を第１の方向から第２の方向に向けることが好ましい。好ましい実施形態では、第１の方向が本体の軸と平行である。第２の方向は、軸から８５°〜９５°であることが好ましい。
【０００９】
好ましい実施形態では、少なくとも１つのベーンが、本体の第１の端部から本体の第２の端部に向かって延びる複数のベーンを含む。
【００１０】
複数のベーンは、本体に沿って不規則に離間することが好ましい。好ましい実施形態では、複数のベーンが、第２の端部に向かって互いに次第に接近する。
【００１１】
複数のベーンは、本体の軸に対して角度を付けられることが好ましい。好ましい実施形態では、複数のベーンの少なくとも一部の角度が、隣接するベーンと異なる。軸に対する複数のベーンの角度は、第２の端部に向かって増すことが好ましい。
【００１２】
空気流の付着を最適化するために、ベーンの角度が付属品の長さに沿ったベーンの位置に依存する異なる角度のベーンを重複部分内に設けることに利点がある。
【００１３】
好ましい実施形態では、複数のベーンのサイズが、第１の端部と第２の端部との間で変化する。複数のベーンは、本体の第２の端部に向かって次第に小さくなることが好ましい。
【００１４】
好ましい実施形態では、複数のベーンの各々が同じ形状を有する。
【００１５】
スロットは、本体の軸に対して湾曲することが好ましい。螺旋形の流体出口スロットを形成する各プレートのねじれた螺旋形と、付属品の外に流れを向ける内部ベーンとを組み合わせると、付属品の表面に対する空気流の付着が強化されるので有利である。
【００１６】
好ましい実施形態では、少なくとも１つのベーンが、少なくとも２つの延長プレート間の重複部分と実質的に同じ長さである。
【００１７】
少なくとも１つのベーンのうちの１つのベーンは、構造機能の他に流れ誘導機能を有することが好ましい。
【００１８】
好ましい実施形態では、各延長プレートが、ストラット及びプレートで形成される。
【００１９】
スロットは、隣接する延長プレートからのストラット及びプレートとで形成されることが好ましい。
【００２０】
第２の態様によれば、本発明は、ヘアケア機器の付属品であって、第１の端部及び第２の端部と、第１の端部における流体入口と、流体出口と、流体入口と流体出口との間に延びる流体流路とを有する細長い本体を含み、細長い本体の第２の端部に隣接して低温先端部が設けられ、低温先端部が細長い本体の第２の端部から離間した付属品を提供する。
【００２１】
低温先端部の底面と細長い本体の隣接する端部との間の間隙が、低温先端部への熱移動を有利に最小化するとともに、組み立て小区分間の製造公差を可能にするという利点も有する。
【００２２】
低温先端部と細長い本体の第２の端部との間には、空隙を設けることが好ましい。
【００２３】
好ましい実施形態では、低温先端部が、細長い本体の第２の端部の周囲に広がる環状フランジを含む。細長い本体は、外壁を有することが好ましい。好ましい実施形態では、環状フランジが外壁から離間する。
【００２４】
好ましい実施形態では、低温先端部が、フランジから延びるハンドルを含む。ハンドルは、円筒形であることが好ましい。好ましい実施形態では、ハンドルが中空である。低温先端部上の中空ハンドルは、内部の空気がさらなる断熱をもたらすので有利である。
【００２５】
外壁は、第１の端部から第２の端部に延びる少なくとも２つのプレートで形成されることが好ましい。
【００２６】
好ましい実施形態では、流体出口が、少なくとも２つのプレート間に延びるスロットを含む。スロットは、湾曲することが好ましい。好ましい実施形態では、流体出口が複数のスロットを含む。
【００２７】
第３の態様によれば、本発明は、ヘアケア機器の付属品であって、第１のサブアセンブリと、第２のサブアセンブリとを含み、第１のサブアセンブリが、第２のサブアセンブリの構成部品が取り付けられたケージを含む付属品を提供する。
【００２８】
第１のサブアセンブリは、複数の離間したストラットで形成されることが好ましい。
【００２９】
好ましい実施形態では、第２のサブアセンブリが複数のプレートを含む。
【００３０】
複数の離間したストラットの各々は、第１の端部から第２の端部に延びる長手方向フランジを含むことが好ましい。好ましい実施形態では、複数のプレートの各々が、協働する長手方向フランジを含む。
【００３１】
等しい数のプレート及びストラットを設けることが好ましい。
【００３２】
好ましい実施形態では、第１のサブアセンブリが、一対の隣接するストラット間に延びる少なくとも１つの構造ベーンを含む。
【００３３】
第２のサブアセンブリは、複数のプレートを含み、複数のプレートの各々は、少なくとも１つの構造ベーンを収容する窪みを含むことが好ましい。
【００３４】
好ましい実施形態では、付属品が、複数の離間したストラットと、複数のプレートとで形成された細長い本体を含む。細長い本体は、第１の端部及び第２の端部を含むことが好ましい。
【００３５】
好ましい実施形態では、複数のプレート及び複数の離間したストラットの各々が、細長い本体の第１の端部に、一対の協働する突出部及び凹部の一方を含む。複数のプレート及び複数の離間したストラットの各々は、細長い本体の第２の端部に、一対の協働する突出部及び凹部の他方を含むことが好ましい。
【００３６】
好ましい実施形態では、第１のサブアセンブリに複数のプレートを取り付けた後に、複数のプレートが第１のサブアセンブリに溶接される。
【００３７】
複数の離間したストラットの各々は、第１の端部から第２の端部に延びる長手方向フランジを含み、複数のプレートの各々は、協働する長手方向フランジを含み、これらのフランジは、共に溶接されることが好ましい。
【００３８】
好ましい実施形態では、複数の離間したストラットの各々及び複数のプレートの各々の、長手方向フランジ及び協働する長手方向フランジからの遠位端にスロットが存在し、このスロットが、付属品からの流体出口の一部を形成する。
【００３９】
スロット内には、複数のベーンを設けることが好ましい。好ましい実施形態では、複数のベーンが、ストラットとプレートとの間にスロット間隙を維持する役割を果たす。複数のベーンは、スロットから流出する流体の向きを変える役割を果たすことが好ましい。
【００４０】
好ましい実施形態では、細長い本体の第１の端部に、付属品をヘアケア機器に接続する接続リングが設けられる。
【００４１】
第４の態様では、本発明は、ヘアケア機器の付属品であって、第１の端部及び第２の端部と、第１の端部における流体入口と、流体出口と、流体入口と流体出口との間に延びる流体流路とを有する細長い本体を含み、第１の端部にカラーが設けられ、カラーが細長い本体の周囲に広がる付属品を提供する。
【００４２】
付属品の第１の端部に、温風整髪装置の付近の空気の同伴を避け、温風整髪装置に巻き付いた髪が降りてくるのを避けるように機能する四角張った棚部又はカラーを設けることに利点がある。
【００４３】
流体出口は、細長い本体のカラーの付近から第２の端部に向かって延びることが好ましい。好ましい実施形態では、カラーが細長い本体から外に広がる。細長い本体は、軸に沿って延び、カラーは、細長い本体の軸に実質的に直交することが好ましい。好ましい実施形態では、細長い本体が、軸から放射状に延び、カラーが、軸から細長い本体よりもさらに広がる。カラーは、細長い本体の周囲に放射状に広がることが好ましい。
【００４４】
好ましい実施形態では、流体出口が、細長い本体に沿って延びる少なくとも１つのスロットを含む。
【００４５】
外壁は、少なくとも２つの延長プレートで形成され、少なくとも２つの延長プレート間に少なくとも１つのスロットが延びることが好ましい。
【００４６】
好ましい実施形態では、細長い本体が軸に沿って延び、少なくとも１つのスロットが軸に対して湾曲する。少なくとも１つのスロットは、螺旋形であることが好ましい。
【００４７】
第５の態様によれば、本発明は、ヘアケア機器の付属品であって、第１の端部及び第２の端部と、第１の端部における流体入口と、流体出口と、流体入口と流体出口との間に延びる流体流路とを有する細長い本体を含み、第１の端部の直径が、第２の端部の直径よりも大きく、流体出口が第１の端部から第２の端部に延びる付属品を提供する。
【００４８】
細長い本体は、第１の端部から第２の端部に向かって収束することが好ましい。好ましい実施形態では、細長い本体の直径が、第１の端部から徐々に減少する。直径の減少は、細長い本体の一部に沿って延びることが好ましい。好ましい実施形態では、第１の端部の直径から第２の端部の直径にかけて段階的な移行が存在する。
【００４９】
細長い本体は、第１の端部から第２の端部に延びる延長プレートを含むことが好ましい。好ましい実施形態では、延長プレートが、本体に沿って実質的に均一な厚みを有する。
【００５０】
細長い本体の長さに沿った直径のあらゆる変化は、内部変化及び外部変化の両方であることが好ましい。
【００５１】
好ましい実施形態では、細長い本体が、第１の端部に向かって広がる。付属品の第１の端部の広がり形状は、乱流を抑えることによって髪の束の端部の最初の付着を支援することが有利である。さらに、髪は、付属品の第２の端部から空気流入口端部に向かって巻かれる。
【００５２】
細長い本体は軸に沿って延び、第２の端部から第１の端部に向かって軸に沿った実質的に一定の直径を有することが好ましい。
【００５３】
好ましい実施形態では、流体出口が、細長い本体に沿って延びる少なくとも１つのスロットを含む。細長い本体は軸に沿って延び、少なくとも１つのスロットは、軸に対して湾曲することが好ましい。好ましい実施形態では、少なくとも１つのスロットが螺旋形である。
【００５４】
本発明の付属品は、複数のサイズのカールの整髪が可能であるように異なるサイズで提供できることが有利である。さらに、時計方向回りの螺旋形の空気流出口スロット、又は反時計方向回りの螺旋形の空気流出口スロットのいずれを使用することもできる。スロットの重なり方向は、カールの方向を決定する。
【００５５】
第６の態様によれば、本発明は、ヘアケア機器の付属品であって、流体入口と、流体出口と、流体入口と流体出口との間に延びる流体流路と、流体流路内の流体を流体出口に向ける第１のベーン及び第２のベーンとを有する本体を含み、本体が、少なくとも２つの延長プレートを含み、流体出口が、少なくとも２つの延長プレート間の重複部分によって定められるスロットを含み、第１のベーン及び第２のベーンが湾曲して、少なくとも２つの延長プレート間の重複部分内に位置し、第１のベーン及び第２のベーンが逆方向に湾曲する付属品を提供する。
【００５６】
流体入口は、第１の断面積を有し、本体は、外壁を含み、本体の外壁は、第２の断面積を含み、第２の断面積は、第１の断面積よりも大きいことが好ましい。
【００５７】
好ましい実施形態では、流体入口は直径ｄfを有し、付属品は直径ｄ2を有し、ｄ2はｄfよりも大きい。
【００５８】
本体は細長く、軸に沿って延びることが好ましい。好ましい実施形態では、本体が、第１の端部及び第２の端部を有し、流体入口が第１の端部に存在する。
【００５９】
第１のベーンは、流体入口に隣接することが好ましい。好ましい実施形態では、第１のベーンが凸面を有し、凸面が流体入口に面する。
【００６０】
第２のベーンは凹面を有し、凹面は流体入口に面することが好ましい。
【００６１】
好ましい実施形態では、第１のベーン及び第２のベーンが翼形である。
【００６２】
流体出口は、第１の端部及び第２の端部との間に軸に沿って延びることが好ましい。
【００６３】
好ましい実施形態では、第２のベーンが、延長プレートに沿って離間した複数のベーンを含む。複数のベーンは、延長プレートに沿って不規則に離間することが好ましい。好ましい実施形態では、複数のベーンが、本体の軸に対して角度を付けられる。複数のベーンの少なくとも一部のベーンの角度は、隣接するベーンと異なることが好ましい。好ましい実施形態では、軸に対する複数のベーンの角度が、第２の端部に向かって増す。複数のベーンのサイズは、延長プレートに沿って変化することが好ましい。好ましい実施形態では、複数のベーンの各々が同じ形状を有する。少なくとも１つのベーンは、少なくとも２つの延長プレート間の重複部分と実質的に同じ長さであることが好ましい。
【００６４】
好ましい実施形態では、スロットが本体の軸に対して湾曲する。
【００６５】
各延長プレートは、ストラット及びプレートで形成されることが好ましい。
【００６６】
好ましい実施形態では、スロットが、隣接する延長プレートからのストラット及びプレートで形成される。
【００６７】
付属品は、少なくとも１つの構造ベーンをさらに含むことが好ましい。好ましい実施形態では、少なくとも１つの構造ベーンが、ストラットと隣接するストラットとを接続する。少なくとも１つの構造ベーンは、ストラットとプレートとを接続することが好ましい。
【００６８】
プレートの内面の前縁部における突出部が、付属品の、特に直径がさらに大きな（例えば、４０ｍｍ）付属品の外面に対する空気流の付着を強めることが有利である。
【００６９】
別の態様によれば、本発明は、ヘアケア機器の付属品であって、流体入口と、流体出口と、流体入口と流体出口との間に延びる流体流路とを有する本体を含み、流体出口が、半径方向内側の延長プレートと半径方向外側の延長プレートとの間の重複部分によって定められるスロットを含む付属品を提供する。
【００７０】
半径方向内側の延長プレートは、重複部分に向かって半径方向内向きに湾曲する半径方向内面を含むことが好ましい。
【００７１】
半径方向内側の延長プレートは、ストラット及びプレートを含むことが好ましい。
【００７２】
好ましい実施形態では、半径方向内面が、好ましくはストラットの半径方向内向きに延びる補強リブを含む。この補強リブは丸みを帯び、従って付属品内を流れる流体を滑らかに移行させることが好ましい。補強リブは、重複部分の入口端部から、ストラットの半径方向内面に少なくとも部分的に沿って延びる。
【００７３】
ストラットは、半径方向内側のプレートの入口端部に隣接して配置された突起部を含むことが好ましい。この突起部は、ストラットの隆起部又は局所的肉厚部である。突起部は、実質的に半球状であることが好ましい。突起部は、ストラットの入口端部からストラットの出口端部に延びることが好ましい。或いは、突起部は、ストラットに部分的に沿って延びる。
【００７４】
好ましい実施形態では、補強リブ、突起部又は隆起部が、ストラットの実質的に全長に沿って延びる。
【００７５】
補強リブ、突起部又は隆起部は、流体入口に隣接して面取り面又は傾斜面を含むことが好ましい。これにより、付属品内に流入した流体が滑らかに移行する。付属品は、機器に接続するための接続リングを含むことが好ましい。好ましい実施形態では、接続リングが、付属品内への流体入口を定める。補強リブ、突起部又は隆起部は、接続リングに隣接して接続リングと同じ平面内に位置することが好ましい。好ましい実施形態では、補強リブ、突起部又は隆起部が、接続リングから付属品の下流端に向かって半径方向内向きに最小半径まで広がる。補強リブ、突起部又は隆起部は、最小半径に達すると、付属品の長手方向軸Ｘ−Ｘから実質的に一定の半径を保つことが好ましい。
【００７６】
ヘアケア機器は、温風整髪機器であることが好ましい。
【００７７】
以下、添付図面を参照しながら本発明の好ましい特徴をほんの一例として説明する。
【図面の簡単な説明】
【００７８】
【図１】本発明の実施形態の斜視図である。
【図２ａ】付属品の分解図である。
【図２ｂ】第１のサブアセンブリの等角図である。
【図２ｃ】第２のサブアセンブリの分解図である。
【図３】付属品の側面図である。
【図４】図３の線Ａ−Ａに沿って切り取った断面図である。
【図５】図３の線Ｂ−Ｂに沿って切り取った断面図である。
【図６】図３の線Ｘ−Ｘに沿って切り取った断面図である。
【図７】付属品の上部端面図である。
【図８】付属品の下部端面図である。
【図９】単一プレートの正面図である。
【図１０】単一プレートの側面図である。
【図１１】本発明の第２の実施形態の斜視図である。
【図１２】図１１の付属品の分解図である。
【図１３】図１１の付属品の側面図である。
【図１４】図１３の線Ａ−Ａに沿って切り取った断面図である。
【図１５】図１３の線Ｂ−Ｂに沿って切り取った断面図である。
【図１６】図１１の付属品の縦断面図である。
【図１７】図１１の付属品の単一プレートの側面図である。
【図１８】付属品を接続できる温風整髪装置の例の側面図である。
【発明を実施するための形態】
【００７９】
図１は、本発明の付属品１０の外観図である。付属品１０は、温風整髪装置又は同様の装置の空気流出口端部からの空気流を受け取るための流体入口２０を含む。流体入口２０は、概ね円形であり、温風整髪装置の概ね円形の出口端部との気密接続を可能にする。
【００８０】
付属品１０は、基本的に円筒形であり、流体入口２０から遠位端３０まで長手方向に延び、温風整髪装置が描く線に続くことが好ましい。付属品は、第１の端部１４と第２の端部１６とを有する細長い本体１２を有する。第１の端部１４から第２の端部１６へは複数の細長いプレート４０が延び、隣接するプレート４０間に配置される細長いスロット５０が、この付属品の細長い流体出口を構成する。付属品１０の遠位端３０は、低温先端部３２を含む。
【００８１】
この実施形態では、付属品１０が、細長い本体１２に沿って少なくとも部分的に延びる、流体入口２０の直径ｄfよりも小さな一定の直径ｄ1を有する。
【００８２】
図２ａ、図２ｂ及び図２ｃは、付属品１０の好ましい実施形態のいくつかの内部特徴を表す分解図及び等角図であり、図示の部品は、好ましい組み立て小区分とすることもできる。図２ａ及び図２ｂには、第１のサブアセンブリ１０５が、６つの細長い支持ストラット６２を有する形で示す中心円筒ケージ構造６０によって形成されることを示している。６つの細長い支持ストラット６２は、中心円筒ケージ構造６０の流体入口２０におけるカラー６４と、中心円筒ケージ構造６０の第２の端部２４における端壁６６との間に延びる。カラー６４は、接続リング６８から広がる。接続リング６８は、付属品１０を温風整髪装置又は同様の装置に接合するように機能する。端壁６６は、低温先端部３２の半径方向周囲に設けられたラグ２８を介して低温先端部３２を取り付けるための突出リング２６を含む。流体出口は、中心円筒ケージ構造６０のカラー６４の隣接部から第２の端部２４の端壁６６に延びるスロット５０によって形成される。
【００８３】
図２ｃに示すように、６つの別個のプレート４０によって第２のサブアセンブリ１１０が形成される。付属品の製造時には、第２のサブアセンブリ１１０が第１のサブアセンブリ１０５に取り付けられる。好ましい実施形態では、各プレート４０がストラット６２に取り付けられて延長プレート５４（図５を参照）を形成することにより、中心円筒ケージ構造６０のカラー６４と第２の端部２４との間に延びる細長い本体１２が形成される。細長い本体１２は、中心円筒ケージ構造６０のカラー６４に隣接する第１の端部１４と、端壁６６に隣接する第２の端部１６とを有する。細長い本体１２は、ストラット６２、プレート４０及び細長いスロット５０と同様の長さに延びる。カラー６４及び接続リング６８は、中心円筒ケージ構造６０の一部を形成するが、細長い本体１２を形成しない。
【００８４】
カラー６４は平らな環状であり、細長い本体から広がって、接続リング６８、細長い本体１２及び円筒ケージ６０の直径よりも大きな直径を有する。カラー６４は、細長い本体１２の長手方向軸でもある付属品の長手方向軸Ｘ−Ｘと実質的に直交する。
【００８５】
第１のサブアセンブリを第２のサブアセンブリに取り付けるには、各プレート４０をストラット６２に取り付ける。ストラット６２は、各プレート５０の内面に位置する接続機構を受け取るように機能する複数の特徴を有する。具体的には、各ストラット６２の前縁部６２ａから３つの構造ベーン７０が等間隔に延び、直近のストラットの外面７２上に接合する。各プレート４０の内面４２は、構造ベーン７０を受け取るように配置された３つの窪み４４を有する。さらなる実施形態では、各ストラットの外面７２の両端が、各プレート４０の内面４２の両端に位置する突出部４６を受け取るのに適した凹部７４を含む。また、各ストラット６２は、前縁部６２ａから延びる長手方向フランジ７６を含む。各プレート４０は、協働する長手方向フランジ４８を有する。この実施形態では、協働する長手方向フランジ４８が、プレート４０の局所的肉薄部を形成する３つの窪み４４の延長部として形成される。ストラット６２の長手方向フランジ４８は、事実上ストラット６２の肉薄部でもある。プレート４０をストラット６２に取り付けると、延長プレート５４（図５を参照）が形成され、長手方向フランジ７６が、協働する長手方向フランジ４８と協働してプレート４０をストラット６２に対して位置付ける。好ましい実施形態では、プレート４０をストラット６２に取り付けると、ストラット６２の外面７２がプレート４０の外面５２を越えて続く。
【００８６】
好ましい実施形態では、上述したプレート５０を取り付けて位置付ける補助物に加え、超音波溶接又は超音波接着などのさらなる固定手段を利用することができる。これらの部品は、フランジ及び３つの窪み４４の長さに沿って溶接されることが好ましい。これにより、各ストラット６２の前縁部６２ａが気密になって細長いスロット５０から空気が流出するようになる。
【００８７】
図２ｂ及び図２ｃに示すように、各プレート４０の内面４２には、複数のベーン１００が配置される。具体的には、ベーン１００は、各プレート４０の前縁部４２ａに沿って付属品の長手方向軸Ｘ−Ｘを横切る方向に配置される。好ましい実施形態では、ベーン１００が、プレート４０の長さに沿って間隔を空け、位置決め用の窪み４４が存在する箇所に間隙を含む。ベーン１００の長さ、深さ、及びプレート４０の前縁部４２ａに対する垂直からの角度は、第１の端部１４から第２の端部１６にかけて徐々に減少する。
【００８８】
構造ベーン７０は、流れを導く機能をさらに有する。従って、構造ベーンは、構造的機能と、流れの向きを変える機能とを有する。構造ベーン７０は、各構造ベーン７０に隣接するベーン１００と同様の角度及び形状を有する。
【００８９】
ベーン１００及び構造ベーン７０は、スロット５０からの空気流の体積及び方向をスロット５０の長さに沿って均一にするように、流体入口２０から第２の端部１６までの細長い本体１２の長さに沿った空気圧及び空気体積の低下に合わせて最適化される。
【００９０】
図３は、付属品の側面図である。各プレートの前縁部の形状は、付属品の長手方向軸Ｘ−Ｘに対して非平行である。具体的には、各プレートは、付属品の長手方向軸Ｘ−Ｘの周囲でねじれ、螺旋配置を形成する。スロットは、付属品の長手方向軸Ｘ−Ｘから４５°の角度だけ湾曲することが好ましい。この例では、スロット５０が、第１の端部１４から第２の端部１６に向かって反時計回り方向に湾曲している。スロット５０は、隣接する重なり合った延長プレート５４ａ、５４ｂ間に形成されるが、湾曲したスロットを形成するために、プレート４０も、付属品の長手方向軸に沿って延びるのではなく４５°の角度だけ湾曲することが好ましい。
【００９１】
図３では、２つの隣接するプレート間のスロットを通じて、１つの特定のプレート５０の内面に位置するベーン１００が見える。図示の好ましい実施形態では、細長い本体１２の直径が、第１の端部１４の方が第２の端部１６よりも大きい。具体的には、プレート構成は、細長い本体１２の第１の端部１４に向かって広がる。
【００９２】
この図３に示す付属品の側面図には、温風整髪装置又は同様の装置の流体出口端部へのクリック式接続を可能にする、接続リング６８上に規則的に配置された突出部７６を示している。当業者には、ねじ式構成又は押し込み式構成などの別の取り付けオプションが明らかであろう。
【００９３】
図４は、細長い本体１２の線Ａ−Ａに沿った断面図である。この断面図には、それぞれが１つのプレート４０と１つのストラット６２とを含む６つの延長プレート５４を示しているが、この図は構造ベーン７０又はベーン１００を貫通するものではない。延長プレート５４と、これに続く延長プレート５４ａとの間の流体出口経路５８の幅は一定でない。具体的には、各延長プレート５４は、細長い本体１２全体の半径よりも小さな半径の円弧状の断面を有する。この結果、各流体出口経路５８の寸法は、関連する出口スロット５０において最小になる。流体出口経路５８は、各スロット５０に向かって狭くなるが、延長プレート５４の厚みは実質的に変化しない。従って、長手方向フランジ７６及び協働する長手方向フランジ４８の厚みは、いずれもプレート４０及びストラット６２の厚みの約半分である。
【００９４】
各スロット５０から排出された空気流は、延長プレート５４の外面５４ｂに正接し、他のスロットから排出された空気流と一緒になることにより、付属品の外周回りに連続する流体通路７８を形成する。スロット５０から排出された空気流は、コアンダ効果によって付属品の湾曲面に引き寄せられる。この結果、付属品１０に曝された髪が空気流の影響を受けて付属品１０の円筒面に巻き付くようになる。具体的には、付属品１０に曝された髪の束の先端が付属品１０の外面に引き寄せられ、その後に髪の束が付属品１０の周囲に巻き付く。空気が髪の長さにわたって吹き付けられるので、濡れた髪が素早く乾く。この巻き付け過程は、毛状突起を使用せずに行われ、従って髪が乾いて又は整髪されると、付属品から滑るように外れることができて絡まることもないので有利である。
【００９５】
スロットから排出される空気流は、スロット５０に対して実質的に垂直であるが、流体入口２０に向かって約２．５°〜４．５°だけ角度を付けられることが好ましい。この例では、３．５°を使用した。この空気流の角度は、湾曲したスロット５０、ベーン１００及び構造ベーン７０の組み合わせによってもたらされる。これにより、髪が流体入口２０に向かって螺旋状に流れ落ち、ユーザが髪の束から付属品１０を取り外し、又は装置をオフに切り換えると、カールされた髪が付属品１０から自然に離れることができる。
【００９６】
図５は、図３の線Ｂ−Ｂに沿った細長い本体１２の断面図である。この断面図は、各延長プレート５４上のベーン１００を貫通するものである。各延長プレート５４の位置が図４に対して回転しているので、流体出口スロットの性質が長手方向に螺旋状であることが分かる。延長プレート５４上のベーン１００が隣接する延長プレート５４ａに接する地点では、空気流が制限又は停止される。
【００９７】
図６は、付属品１０の長手方向軸を通じた断面図であり、これによって複数のストラット６２の内面が明らかになる。低温先端部３２の内部は、ユーザが付属品に触れ、又は付属品を把持できるように比較的低温の場所を提供するために中空である。低温先端部３２の底面と細長い本体１２の第２の端部１６との間の間隙は、低温先端部３２への熱移動を最小化するとともに、部品間の製造公差を可能にするという利点もある。
【００９８】
低温先端部３２は、ハンドル３４及び環状フランジ３６を含む。ハンドル３４は中空であり、この実施形態では空気が満たされて、付属品１０内を流れる高温流体からハンドル３４を断熱する。環状フランジ３６は、細長い本体１２の第２の端部１６と低温先端部３２との間に、環状フランジ３６の周囲に円周方向に延びる空隙８０をもたらす環状の窪み３８を有する。細長い本体１２は、プレート５０によって形成された外壁８２を有し、環状フランジ３６は、外壁８２から離間していると考えることができる。空隙８０は、製造公差を考慮した場合でも環状フランジ３６の周囲で連続するような十分なサイズにされる。
【００９９】
図３及び図６では、付属品の第１の端部における細長い本体１２の広がった形状が明らかである。このような広がりは、本発明の全ての実施形態に存在するわけではない。広がりの有無は、付属品と、付属品を取り付ける温風整髪装置又は同様の装置との相対的直径によって決まる。温風整髪装置又は同様の装置の直径よりも付属品の直径の方が小さい場合には、乱流を最小化して機器から付属品への直径の変化を可能にするように広がりが存在する。具体的には、このような広がりは、細長い本体の直径が３０ｍｍである実施形態には含まれるが、細長い本体の直径が４０ｍｍである実施形態には含まれない。この広がりは、乱流を抑えるように機能することにより、毛髪の端部を最初に付属品の第１の端部に付着させるのに役立つ。
【０１００】
細長い本体１２は、第１の端部１４から第２の端部１６に向かって収束する。細長い本体１２の直径は、第１の端部１４から地点Ｙまで減少し、地点Ｙから第２の端部１６までは一定である。収束の目的は、細長い本体１２を流体入口２０における直径から第２の端部１６における直径に滑らかに移行させることである。付属品１０に流入する空気のあらゆる乱流が最小化され、これによって付属品１０内の圧力損失も減少する。これには、束になった髪の先端を付属品の外面に付着するように促すという利点がある。
【０１０１】
図７の例示的な付属品の平面図には、付属品の流体入口の近くのカラー６４の直径の方が、遠位端３０における低温先端部３２よりも大きいことを示す。図８の例示的な付属品の下面図には、各延長プレート５４の重なり合った形成を示す。
【０１０２】
カラー６４は、複数の機能を有する。カラー６４は、髪を付属品１０に巻き付けた時に、毛髪のための物理的障壁を設けて髪がカラー６４を越えて付属品１０に巻き付くのを、或いはそもそも付属品１０に接続された機器に巻き付くのを防ぐことによって髪を付属品１０上に保つのに役立つ。別の機能は、付属品１０の周囲の空気流を保護することである。付属品１０の周囲の連続する流体通路７８は、スロット５０の外部からの空気を同伴し、又は吸い込むようになる。この同伴空気は、必ずしも延長プレート５４の外面５４ｂに正接するわけではなく、従って髪の巻き付け過程に悪影響を及ぼす恐れがある。カラー６４は、細長い本体１２の第１の端部１４よりも大きな直径を有し、従って機器の表面全体にわたって付属品１０の方に同伴する空気に対する障壁として機能する。
【０１０３】
図９に、前縁部４２ａの最も近くに位置する１２個のベーン１００を有する単一プレート４０の内面４２の好ましい実施形態を示す。ベーン１００は、５つのベーンから成る２つの主な系列内で離間する。プレート４０の後縁部４２ｂ上には、一連のベーン間の間隙に位置する、構造ベーン７０を受け入れるように適合された窪み４４が見える。ベーン１００は、プレート４０の前縁部４２ａに対して概ね垂直方向に位置付けられる。好ましい実施形態では、付属品の上流端の方に位置するベーン１００が、プレート４０の前縁部４２ａに対して鋭角に位置付けられる。ベーン１００の好ましい長さは、１つの延長プレート５４と隣接する延長プレート５４ａとの間に設けられる重複部分８４によって形成されるスロット５０を実質的に満たすようなものである。
【０１０４】
各ベーン１００の形状は翼形であり、スロット５０からの流れを第１の方向から第２の方向に向けるように設計される。空気は、付属品１０の長手方向軸Ｘ−Ｘと平行に流体入口に入り込み、これが第１の方向である。付属品１０内を流れる空気は、この軸からスロット５０の方に自然に向きを変えるが、上述したように髪が良好に巻き付いて付属品１０からカールが外れやすくなるという理由で好ましくは流体入口２０の方にわずかに角度を付けた第２の流れ方向は、気流に対するベーン１００の形状とスロット５０の湾曲との組み合わせ作用によって生じる。
【０１０５】
ベーン１００は、プレート５０の長さに沿って規則的に離間することもできるが、細長い本体１２に沿ったスロット５０からの均一な流れを実現するために、この間隔を不規則にして、細長い本体１２の第１の端部１４ではベーン１００がさらに離れ、第２の端部１６ではさらに近接するようにすることが好ましい。
【０１０６】
また、付属品１０内を流れる空気の体積及び圧力は、細長い本体１２の第１の端部１４から第２の端部１６にかけて変化するので、ベーン１００は、細長い本体１２の第１の端部１４から第２の端部１６にかけて次第に小さくなる。長手方向軸Ｘ−Ｘに対するベーン１００の角度も、細長い本体１２の第１の端部１４から第２の端部１６にかけて変化する。この角度は、細長い本体１２の第１の端部１４から第２の端部１６にかけて付属品１０の長手方向軸Ｘ−Ｘに対して増加することが好ましい。
【０１０７】
図１０は、長手方向軸の周囲における各プレートの螺旋形を示すプレート４０の側面図である。プレート４０内の螺旋回転の量は、排他的な意味ではないが、プレートの数、付属品の直径、ベーンの形状、及び付属品の長手方向軸に対する所望の流体流出角度などの特徴の組み合わせの関数である。
【０１０８】
図１１〜図１７に、本発明の第２の実施形態を示す。この実施形態では、図１〜図１０に関連して図示し説明した構成要素には同じ参照数字を付している。この第２の実施形態では、付属品１５０の直径が４０ｍｍである。従って、付属品１５０の直径は、接続リング６８、及び付属品１５０への流体入口２０の直径よりも大きい。付属品１５０の断面積は、流体入口２０の断面積よりも大きい。付属品１５０の直径ｄ2は、流体入口２０の直径ｄfよりも大きい。
【０１０９】
付属品１５０に流入した空気は、付属品内の細長い本体１１２の第１の端部１４において体積が増加するので、一部の空気は、接続リング６８と付属品１５０の外壁１８２との間に形成される棚部１６０に向かって再循環する。従って、スロット５０から排出される空気の一部は、流れ方向を修正しなければ流体入口２０に向かって流れる。この再循環がスロット５０からの空気流の方向に影響しないように、細長い本体１１２の第１の端部１４及び流体入口２０に隣接するベーンである少なくとも第１のベーン１７０を、他の全てのベーン１００に対して逆にする。
【０１１０】
このベーンは、第１に、上述した実施形態と同様に、スロット５０からの流れの体積及びスロット５０の長さに沿った方向を均一にするという利点を維持する機能、第２に、第１の実施形態のカラー６４と同じ機能の１つ、すなわち細長い本体１１２の第１の端部１４において空気障壁をもたらすことによって髪を付属品１５０上に保つ機能という２つの機能を有する。付属品１５０が流体入口２０よりも大きな直径を有するこの第２の実施形態では、この空気障壁によってカラー１６４の直径が外壁１８２と同じになる。この付属品１５０は、上述した付属品１０よりも表面積が大きいので、髪が外面１８２に付着しやすく、従って機器の表面全体にわたって付属品１５０に向かう同伴流からの悪影響の問題はそれほど明白でない。
【０１１１】
第１のベーン１７０は翼形であり、凹面１７２及び凸面１７４を有する。ベーン１００も、凹面１０２及び凸面１０４を有する。ベーン１００の凹面１０２は、スロット５０から流出する空気を流体入口２０の方に向けるために流体入口２０の方を向き、これによって流体を滑らかに移行させて第２の方向に誘導又は配向する。滑らかな移行により、付属品内の圧力損失、乱流及び騒音が減少する。
【０１１２】
対照的に、第１のベーン１７０は、凸面１７４が流体入口２０の方を向く。この理由は、空気が棚部１６０に向かって再循環するからであり、従って第１のベーン１７０の凹面１７２は、やはりベーン１００と同様に空気流の方を向く。機能は同じであって効果も同様であり、変わったのは流体流の方向である。
【０１１３】
第１のベーン１７０及びベーン１００は、付属品１５０内を流れる流体の向きを、第１の方向から、スロット５０から出る第２の方向に変えるように適合される。上述したように、空気は、付属品１５０の長手方向軸Ｘ−Ｘと平行に流体入口に入り込み、これが第１の方向である。付属品１０内を流れる空気は、この軸からスロット５０に向かって自然に向きを変え、この付属品１５０では、流体入口２０の近くの空気が必要以上に向きを変える。上述したように、付属品１５０の長さに沿った均等な流れを実現するために、気流に対する第１のベーン１７０、ベーン１００の形状とスロット５０の湾曲との組み合わせ作用により、上述したように髪が良好に巻き付いて付属品１０からカールが外れやすくなるという理由で好ましくは流体入口２０の方にわずかに角度を付け第２の流れ方向を生じさせる。
【０１１４】
付属品１５０のさらなる特徴は、各ストラット６２が補強部を有することである。第１のサブアセンブリ１０５は、単一要素として射出成形されることが好ましい。付属品１０では、細長い本体１２が流体入口２０に向かって広がっているので、第２の端部１６にかけて自然なテーパリング形状が存在し、この形状は、製造工程中に、付属品１０から中心の型を除去するために必要な、少なくとも部分的な抜き勾配として使用される。付属品１５０では、直径ｄ2が流体入口２０の直径ｄfよりも大きいので、製造中にアンダーカットが生じる。このため、付属品１５０には、重複部分８４の入口端部８６における半径方向内面１６２ａ上にストラット６２の局所的肉厚部１６２が存在する。
【０１１５】
この局所的肉厚部１６２は、ストラット６２の全長に沿って延びる補強リブ、突起部又は隆起部と考えることができる。局所的肉厚部１６２は、流体入口２０に隣接して、接続リング６８から局所的肉厚部１６２の端部を越えて付属品１５０に流入する流体を誘導する面取り面又は傾斜面１６６を含む。
【０１１６】
局所的肉厚部１６２の湾曲は、ストラット６２の後縁部６２ｂを越えた流れを重複部分８４及びスロット５０にさらに導く。
【０１１７】
図１８に、付属品１０に取り付けた温風整髪装置２００の例を示す。温風整髪装置２００は、両端に流体入口２３０及び流体出口２４０を有する概ね管状のハンドル２２０を含む。ハンドルの流体入口２３０では、ハンドル２２０に部分的に沿ってその周囲に一連の開口部２３２が広がる。ファンユニットは、内部（図示せず）にファン及びモータを含む。使用時には、モータがファンを駆動し、流体入口２３０の開口部２３２を通じてハンドル２２０の長さ全体に延びる流体流路に沿って空気が吸い込まれる。流体は、任意にヒータ（図示せず）によって加熱された後で流体出口２４０において温風整髪装置から排出される。本発明の付属品１０の流体入口２０は、温風整髪装置２００又は同様の装置の流体出口２４０に接続され、モータの作用によって吸い込まれた流体を受け入れる。その後、流体はスロット５０を通じて付属品１０から排出される。機器２００は、動力ケーブルを介して電源に接続することができ、又はハンドル２２０内にバッテリを収容することもできる。
【０１１８】
当業者であれば、本発明の製造及び組み立ては多くの異なる方法で実現できると認識するであろう。図２に示す実施形態では、考えられる組み立て小区分を、６つの細長い支持ストラットと、６つの別個のプレートと、低温先端部とを有する細長い本体１２構造として示している。しかしながら、細長い本体１２は、同様にさらなる複数の組み立て小区分で構築することもできる。本発明の別の実施形態では、細長い本体１２が３つの固定プレートを含み、ケージ構造にさらなる３つの別個のプレートを取り付けることができる。実施形態に示すプレートの数に関係なく同様の製造方法及び組み立て方法を利用できることが明らかである。
【０１１９】
付属品１０、１５０の好ましい製造方法は射出成形によるものであるが、このことは発明概念に必須ではなく、当業者であれば好適な代替案を認識するであろう。
【０１２０】
付属品１０、１５０の直径は、取り付け先の機器の直径と同じであっても、又は異なってもよい。例えば、低温先端部の間隔、異なるサブアセンブリ及びベーンの使用などの、本明細書で説明した発明の特徴のいくつかは、直径とは無関係に適用することができる。
【０１２１】
付属品の直径を取り付け先の機器の直径と異なるものとして示している場合には、一般に内径も外径も異なる。
【０１２２】
ベーン１００、１７０は、プレート４０の一部を成形するものとして示しているが、これらはストラット６２の一部として形成することもできる。構造ベーン７０を受け取るように適合された窪み４４は、長手方向フランジ４８に接続された形で示しているが、これらは分離することもできる。
【０１２３】
高温整髪ブラシに関して本発明を詳細に説明したが、本発明は、流体を吸い込んでこの流体を機器から流出させるように導く、ヘアドライヤーを含むあらゆる機器に適用可能である。
【０１２４】
機器は、ヒータの有無に関わらず使用することができ、流体が高速で流出する作用には乾燥効果がある。
【０１２５】
一般に、機器内を流れる流体は空気であるが、数種類又は一種類の気体の異なる組み合わせであってもよく、機器の性能、或いは出力が向けられる毛髪などの物体及びそのスタイリングに機器が与える影響を改善する添加物を含むこともできる。このような添加物としては、限定するわけではないが、例えばヘアスプレー及び美容液が挙げられる。
【０１２６】
本発明は、上述した詳細な説明に限定されるものではない。当業者には変形例が明らかであろう。
【符号の説明】
【０１２７】
４０  プレート
４２  プレートの内面
４２ａ  プレートの前縁部
４２ｂ  プレートの後縁部
１００  ベーン
１０２  ベーンの凹面
１０４  ベーンの凸面
【図１】
0006518281.tif 000002
【図２ａ】
0006518281.tif 000003
【図２ｂ】
0006518281.tif 000004
【図２ｃ】
0006518281.tif 000005
【図３】
0006518281.tif 000006
【図４】
0006518281.tif 000007
【図５】
0006518281.tif 000008
【図６】
0006518281.tif 000009
【図７】
0006518281.tif 000010
【図８】
0006518281.tif 000011
【図９】
0006518281.tif 000012
【図１０】
0006518281.tif 000013
【図１１】
0006518281.tif 000014
【図１２】
0006518281.tif 000015
【図１３】
0006518281.tif 000016
【図１４】
0006518281.tif 000017
【図１５】
0006518281.tif 000018
【図１６】
0006518281.tif 000019
【図１７】
0006518281.tif 000020
【図１８】
0006518281.tif 000021